(57)【要約】      （修正有）【課題】蓋パネルの開閉を容易に行うとともに、簡単に折り畳んで収納できるようにするゴミ集積用具を提供する。【解決手段】ネットをフレームに張設したパネルを複数連結したゴミ集積用具１０であって、背面側に設けられている背面パネル２０、側面側に設けられており、背面パネルの左右端側に回動可能に連結された一対の側面パネル２４、正面側に設けられており、一対の側面パネルの前側に、観音開き可能に連結された一対の正面パネル２６、２８、背面パネル、側面パネル、正面パネルで構成された囲い枠の上面を覆うとともに、側面パネルの上端側に観音開き可能に連結された一対の蓋パネル３２、を備えており、一対の正面パネルの相対側を開閉可能に連結する留め具、背面パネルと正面パネルとの間に設けられており、背面パネルに対する正面パネルの膨出を防ぐための補強具、蓋パネルの正面側にそれぞれ設けられており、蓋パネルを開閉するための取っ手、側面パネル、正面パネル、蓋パネルが、背面パネルに沿って折り畳み可能である。【選択図】図１
0003222196.tif 000002
【実用新案登録請求の範囲】
【請求項１】
ネットをフレームに張設したパネルを複数連結したゴミ集積用具であって、
背面側に設けられている背面パネル，
側面側に設けられており、前記背面パネルの左右端側に回動可能に連結された一対の側面パネル，
正面側に設けられており、前記一対の側面パネルの前側に、観音開き可能に連結された一対の正面パネル，
前記背面パネル，側面パネル，正面パネルで構成された囲い枠の上面を覆うとともに、前記側面パネルの上端側に観音開き可能に連結された一対の蓋パネル，
を備えており、
前記一対の正面パネルの相対側を開閉可能に連結する留め具，
前記背面パネルと正面パネルとの間に設けられており、前記背面パネルに対する前記正面パネルの膨出を防ぐための補強具，
前記蓋パネルの正面側にそれぞれ設けられており、蓋パネルを開閉するための取っ手，
前記側面パネル，正面パネル，蓋パネルが、前記背面パネルに沿って折り畳み可能であることを特徴とするゴミ集積用具。
【請求項２】
前記背面パネルの左右の中間位置に中間バーが縦方向に設けられており、
前記補強具が、
補強バー，
前記中間バーに対して回動自在に前記補強バーの一端を取り付ける連結具，
前記補強バーの他端側に設けた袋状の差込部，
前記正面パネルの相対側に設けられており、前記差込部が着脱自在に差し込まれるフック，
を備えたことを特徴とする請求項１又は２記載のごみ集積用具。
【請求項３】
前記背面パネル，側面パネル，正面パネルを、同じ高さとしたことを特徴とする請求項１又は２記載のごみ集積用具。
【請求項４】
前記蓋パネルを開閉するための取っ手を、前記蓋パネルの相対側に設けたことを特徴とする請求項１〜３のいずれか一項に記載のごみ集積用具。
【考案の詳細な説明】
【技術分野】
【０００１】
本考案は、ごみ収集場所などに集められたゴミやゴミ袋を一時的に保管するためのゴミ集積用具の改良に関するものである。
【背景技術】
【０００２】
ゴミ集積用具の背景技術としては、例えば下記特許文献１に記載の本願出願人による「ゴミ集積用具及びネット」がある。これは、背面パネル，左右側面パネル，正面パネルからなる囲い枠に、底面パネルと、開閉自在な一対の蓋パネル，を設けた構造となっている。
【０００３】
前記各パネルは全て、金属製のパイプなどで形成されたフレームに、ネットを張設したもので、必要に応じて、ネットの縁をフレームに固定するための固定バーが利用される。フレームとしては、例えば、鉄，ステンレス，アルミニウム，樹脂などを用いることができるが、軽量化を図るという観点からはアルミニウムが好適である。鉄に樹脂コーティングを施すようにしてもよい。
【先行技術文献】
【特許文献】
【０００４】
【特許文献１】実用新案登録第３１４１９２０号
【特許文献２】実用新案登録第３２１６３９６号
【考案の概要】
【考案が解決しようとする課題】
【０００５】
ところで、ゴミ集積用具の多くは、ゴミの回収作業が容易な道路などに面した公共スペースに設置されているため、使い方によっては、歩行者や車両などの交通の妨げとなるおそれがある。例えば、上述した背景技術の例のように、ガードレールの前にゴミ集積用具が設置された状態で蓋パネルを大きく開けて、背面側に倒したとすると、倒された蓋パネルが車両や人の通行を妨げる恐れがある。このような点を改良したものとして、本件出願人は、前記特許文献２を提案している。しかし、蓋パネルを開ける取っ手の位置が蓋パネルの突合せ位置にあるため、使い勝手が必ずしも良いとはいえない。また、ゴミの回収は、日にちや曜日が決まっていることが多く、回収日以外は、ゴミ集積用具を簡単に折り畳むことができると好都合である。
【０００６】
本考案は、以上の点に着目したもので、その目的は、蓋パネルの開閉を容易に行うとともに、簡単に折り畳んで収納できるようにすることである。
【課題を解決するための手段】
【０００７】
本考案のゴミ集積用具は、ネットをフレームに張設したパネルを複数連結したゴミ集積用具であって、背面側に設けられている背面パネル，側面側に設けられており、前記背面パネルの左右端側に回動可能に連結された一対の側面パネル，正面側に設けられており、前記一対の側面パネルの前側に、観音開き可能に連結された一対の正面パネル，前記背面パネル，側面パネル，正面パネルで構成された囲い枠の上面を覆うとともに、前記側面パネルの上端側に観音開き可能に連結された一対の蓋パネル，を備えており、前記一対の正面パネルの相対側を開閉可能に連結する留め具，前記背面パネルと正面パネルとの間に設けられており、前記背面パネルに対する前記正面パネルの膨出を防ぐための補強具，前記蓋パネルの正面側にそれぞれ設けられており、蓋パネルを開閉するための取っ手，前記側面パネル，正面パネル，蓋パネルが、前記背面パネルに沿って折り畳み可能であることを特徴とする。
【０００８】
主要な形態の一つによれば、前記背面パネルの左右の中間位置に中間バーが縦方向に設けられており、前記補強具が、補強バー，前記中間バーに対して回動自在に前記補強バーの一端を取り付ける連結具，前記補強バーの他端側に設けた袋状の差込部，前記正面パネルの相対側に設けられており、前記差込部が着脱自在に差し込まれるフック，を備えたことを特徴とする。他の形態によれば、前記背面パネル，側面パネル，正面パネルを、同じ高さとしたことを特徴とする。更に他の形態によれば、前記蓋パネルを開閉するための取っ手を、前記蓋パネルの相対側に設けたことを特徴とする。本考案の前記及び他の目的，特徴，利点は、以下の詳細な説明及び添付図面から明瞭になろう。
【考案の効果】
【０００９】
本考案によれば、左右方向に観音開きする蓋パネルの開閉用の取っ手を正面側に設けることとしたので、蓋パネルの開閉を容易に行うことができるようになり、使い勝手が向上する。また、正面パネルに設けたフックに補強バーの先端を差し込むようにしたので、簡単に補強バーの取り外しを行うことができ、簡単に折り畳んで収納できる。
【図面の簡単な説明】
【００１０】
【図１】本考案のゴミ集積用具の一実施例を示す斜視図である。
【図２】前記実施例の固定バー部分を示す斜視図である。
【考案を実施するための形態】
【００１１】
以下、本考案を実施するための最良の形態を、実施例に基づいて詳細に説明する。
【実施例１】
【００１２】
図１には、本考案のゴミ集積用具の実施例１の全体構成が示されている。同図(A)は組み立てた状態を示し、同図(B)は折り畳み時の様子を示す。図２は固定バーの着脱の様子を示す。これらの図に示すように、本実施例のゴミ集積用具１０は、背面パネル２０，側面パネル２２及び２４，正面パネル２６及び２８からなる囲い枠に、開閉自在な蓋パネル３０，３２が設けられている。なお、底面パネルは、必ずしも設ける必要はないが、段差のある場所や砂浜などにゴミ集積用具１０を設置する場合には、ゴミの散乱や設置場所の汚染を防止するために取り付けることが好ましい。ゴミ集積用具１０の下端には、例えば、ゴムなどで形成された脚４０が適宜の間隔で複数設けられている。
【００１３】
前記各パネルは全て、金属製のパイプなどで形成されたフレームにネットを張設したもので、フレームとしては、例えば、鉄，ステンレス，アルミニウムなどを用いることができるが、軽量化を図るという観点からはアルミニウムが好適である。鉄に樹脂コーティングを施すようにしてもよい。ネットとしては、例えば、強度の高い高密度（ないし超高密度）ポリエチレンで光反射性を有する糸を複数本，例えば１５本前後を撚ったものを使用する。また、ネットの網目の大きさは、例えばカラスなどの嘴が入り込むものの、エサをくわえた状態では網目から抜けないような大きさに設定する。
【００１４】
以上のうち、背面パネル２０は、横長の略長方形のフレーム２０Ａにネット２０Ｂを張設したもので、前記フレーム２０Ａの長辺を概略２分する位置に、中間バー２０Ｃが略垂直方向に設けられている。該中間バー２０Ｃは、フレーム２２Ａと同様の材質により構成されており、その両端が、上下でフレーム２２Ａにそれぞれ固定されている。該中間バー２０Ｃの略中間位置には、前記正面パネル２６，２８の膨出を抑えるための補強バー５０が、連結具５２を支点として上下に回動可能に取り付けられている。この補強バー５０の他端側は、袋状の差込部５４となっている。ここで、補強バー５０は、背面パネル２０と正面パネル２６，２８間の距離，すなわち、側面パネル２２，２４の幅ないしゴミ集積用具１０の奥行きとほぼ一致する長さに予め設定されている。
【００１５】
このような背面パネル２０の側端には、回動連結具４２によって、それぞれ側面パネル２２，２４が回転可能に連結されており、内外側に折り畳み可能となっている。側面パネル２２，２４の上側には、同じく回動連結具４２を支点として蓋パネル３０，３２が回動可能に連結され、側面パネル２２，２４の正面側の側端には、回動連結具４２を支点として正面パネル２６，２８が回動可能に連結されている。側面パネル２２，２４及び正面パネル２６，２８は、背面パネル２０と同じ高さとなっている。このため、折り畳んだ時にパネル同士が重なるようになる。
【００１６】
正面パネル２６，２８の相対側には、ハンドル４４とフック４６が設けられており、図１(A)の状態では、ハンドル４４がフック４６に掛けられており、ハンドル４４を回転させてフック４６から外すことで、正面パネル２６，２８の一方もしくは両方を回転することができるようになっている。ハンドル４４とフック４６は、図示の例では、上下に２組設けられている。また、正面パネル２６，２８のフレーム２６Ａ，２８Ａの内側であって、上述したフック４６の中間となる位置には、前記補強バー５０の差込部５４を差し込むためのフック５６がそれぞれ設けられている。これらフック５６の両方を前記差込部５４内に入り込むようにすることで、正面パネル２６，２８が正面で接合されるとともに、正面パネル２６，２８の正面側への膨出を防ぐようになっている。
【００１７】
次に、蓋パネル３０，３２は、２枚でゴミ集積用具１０の上面を覆うようなサイズに設定されており、側面パネル２２，２４の上側に回動連結具４２を支点として回動可能に連結されている。上側から見ると、蓋パネル３０，３２はいわゆる観音開きとなるように構成されている。また、蓋パネル３０，３２の正面側であって、かつ、蓋パネル３０，３２の相対側には、開閉するための取っ手６０，６２がそれぞれ設けられている。
【００１８】
次に、本実施例の作用を説明すると、図１(A)に示す組み立てた状態から、取っ手６０，６２の両方もしくは一方を持って蓋パネル３０，３２の両方もしくは一方を持ち上げると、側面パネル２２，２４との間に設けられた回動連結具４２を回動の支点として、蓋パネル３０，３２の両方もしくは一方が開く。すなわち、上述した背景技術のように背面側に開くのではなく、側面側に蓋パネル３０，３２が開くようになる。このため、ゴミ集積用具１０の背面側の車両や人の通行を妨げる恐れがない。
【００１９】
一方、正面側においては、背面パネル２０と正面パネル２６，２８の間に補強バー５０が渡されているため、背面パネル２０と正面パネル２６，２８との間隔が固定される。このため、大量のごみ袋が投入された場合でも、ゴミの体積や重量によって、正面パネル２６，２８側が道路側に大きく膨らむのを防ぐことができ、正面側においても通行の妨げにならない。
【００２０】
ゴミ集積用具１０から収集したゴミを取り出すときは、例えば、取っ手６０，６２の両方もしくは一方を持って蓋パネル３０，３２の両方もしくは一方を開くか、更には、正面パネル２６，２８側においてハンドル４４をフック４６から外すとともに、補強バー５０の差込部５４をフック５６からはずして、正面パネル２６，２８の両方もしくは一方を手前側に開くようにする。図１(B)では、正面パネル２８側が開かれている。このようにすることで、作業者は、用具内に入り込んでゴミの回収作業を行うことができる。
【００２１】
ゴミ集積用具１０が空になったら、各パネルを回動連結具４２を支点として回動させて折り畳むようにする。折り畳みは、どのように行ってもよいが、例えば、蓋パネル３０，３２は外側に開き、側面パネル２２，正面パネル２６が背面パネル２０と略平行になるように、また、側面パネル２４，正面パネル２８が背面パネル２０と略平行になるようにする。
【００２２】
このように、本実施例によれば、次のような効果が得られる。
ａ，蓋パネル３０，３２が、背面側ではなく側面側に開くため、ゴミ集積用具１０の背面側の車両や人の通行を妨げる恐れがない。
ｂ，背面パネル２０と正面パネル２６，２８の間に補強バー５０が渡されており、正面パネル２６及び２８側の膨出を防ぐことができ、正面側においても通行の妨げにならない。
ｃ，取っ手６０，６２を正面側に設けたので、蓋パネル３０，３２の開閉を簡便に行うことができ、使い勝手が向上する。
ｄ，ハンドル４４をフック４６から外すとともに、補強バー５０の差込部５４をフック５６からはずすことで、簡単にゴミ集積用具１０を折り畳むことができる。
ｅ，側面パネル２２，２４及び正面パネル２６，２８を、背面パネル２０と同じ高さとしたので、折り畳んだときにパネル同士が重なるようになり、コンパクトに収納できる。
【００２３】
本考案には数多くの実施例があり、以上の開示に基づいて多様に改変することが可能である。例えば、次のようなものも含まれる。
(1)上述した実施例を構成する各部の材料としては各種のものが知られており、そのいずれのものを用いてもよい。また、各部の大きさ，形状も一例であり、必要に応じて適宜変更してよい。
(2)色彩や模様などについても同様に適宜変更可能である。例えば、ネットの色は、糸を着色することで適宜変更可能であるが、視認性の高い緑色や黄色とすることで、通行人や車両などの注意を引いて、更に交通の安全を図るようにしてよい。更に、ネットを光反射性としたり、蓄光性，蛍光性を有する糸を使用するようにしてもよい。
(3)前記実施例では、ハンドルとフックによって留め具としたが、公知の各種の構造としてよい。例えば、チェーン，紐，面ファスナーなどを使用してよい。
(4)ネットやフレームに防カビ効果，防臭効果，消臭効果を持たせるようにしてもよい。また、フレームを構成するパイプの中に芳香剤などを入れるとともに、フレームに放香用の孔などを設けるようにしてもよいし、その香りも季節ごとに変えるようにしてもよい。
(5)上述した実施例では、ゴミ集積用具の下端にゴムなどで構成された脚を設けることとしたが、キャスタを設けて全体の移動を行うようにしてもよい。また、例えば、カラスが磁気に弱いという点を利用して、ネットやフレームの適宜箇所に磁石などを設けるようにしてもよい。
(6)本考案の適用対象のゴミとしては、各種の廃棄物や処分品なども含まれる。
【産業上の利用可能性】
【００２４】
本考案によれば、左右方向に観音開きする蓋パネルの開閉用の取っ手を正面側に設けることとしたので、蓋パネルの開閉を容易に行うことができるようになり、使い勝手が向上する。また、正面パネルに設けたフックに補強バーの先端を差し込むようにしたので、簡単に補強バーの取り外しを行うことができ、簡単に折り畳んで収納できるようになり、ゴミや廃棄物などの収集・集積に好適である。
【符号の説明】
【００２５】
１０：ゴミ集積用具
２０：背面パネル
２０Ａ：フレーム
２０Ｂ：ネット
２０Ｃ：中間バー
２２，２４：側面パネル
２６，２８：正面パネル
２６Ａ，２８Ａ：フレーム
３０，３２：蓋パネル
４０：脚
４２：回動連結具
４４：ハンドル
４６：フック
５０：補強バー
５２：連結具
５４：差込部
５６：フック
６０，６２：取っ手
【図１】
0003222196.tif 000003
【図２】
0003222196.tif 000004
【手続補正書】
【提出日】令和1年5月15日(2019.5.15)
【手続補正１】
【補正対象書類名】実用新案登録請求の範囲
【補正対象項目名】全文
【補正方法】変更
【補正の内容】
【実用新案登録請求の範囲】
【請求項１】
ネットをフレームに張設したパネルを複数連結したゴミ集積用具であって、
背面側に設けられている背面パネル，
側面側に設けられており、前記背面パネルの左右端側に回動可能に連結された一対の側面パネル，
正面側に設けられており、前記一対の側面パネルの前側に、観音開き可能に連結された一対の正面パネル，
前記背面パネル，側面パネル，正面パネルで構成された囲い枠の上面を覆うとともに、前記側面パネルの上端側に観音開き可能に連結された一対の蓋パネル，
を備えており、
前記一対の正面パネルの相対側を開閉可能に連結する留め具，
前記背面パネルと正面パネルとの間に設けられており、前記背面パネルに対する前記正面パネルの膨出を防ぐための補強具，
前記蓋パネルの正面側にそれぞれ設けられており、蓋パネルを開閉するための取っ手，
前記側面パネル，正面パネル，蓋パネルが、前記背面パネルに沿って折り畳み可能であることを特徴とするゴミ集積用具。
【請求項２】
前記背面パネルの左右の中間位置に中間バーが縦方向に設けられており、
前記補強具が、
補強バー，
前記中間バーに対して回動自在に前記補強バーの一端を取り付ける連結具，
前記補強バーの他端側に設けた袋状の差込部，
前記正面パネルの相対側に設けられており、前記差込部が着脱自在に差し込まれるフック，
を備えたことを特徴とする請求項１に記載のごみ集積用具。
【請求項３】
前記背面パネル，側面パネル，正面パネルを、同じ高さとしたことを特徴とする請求項１又は２記載のごみ集積用具。
【請求項４】
前記蓋パネルを開閉するための取っ手を、前記蓋パネルの相対側に設けたことを特徴とする請求項１〜３のいずれか一項に記載のごみ集積用具。